(57)【特許請求の範囲】
【請求項１】
処理画像の画質を評価する画像の客観評価用モニタ装置において、
原画像と処理画像が入力される二つの入力端子と、
該二つの入力端子から入力された原画像と処理画像を基に、該処理画像の評価を行う画質評価手段と、
前記二つの入力端子から入力された原画像と処理画像の表示と、前記画質評価手段による画質評価結果とを表示する表示手段とを具備し、
前記表示手段に、前記画像と画質評価結果を近接して表示するようにしたことを特徴とする画像の客観評価用モニタ装置。
【請求項２】
請求項１に記載の客観評価用モニタ装置において、
原画像供給装置および原画像処理装置からの配線を、前記二つの入力端子のそれぞれに接続するようにしたことを特徴とする画像の客観評価用モニタ装置。
【発明の詳細な説明】
【０００１】
【発明の属する技術分野】
この発明は画像の客観評価用モニタ装置に関し、特に、画質監視などのために行われる客観画質評価作業の効率を大幅に向上できる画像の客観評価用モニタ装置に関する。
【０００２】
【従来の技術】
従来から、画像の品質を評価する方法として、人間による主観評価と、画質評価装置を用いた客観画質評価とがある。前者の主観評価においては、画像モニタのＡ、Ｂチャンネルに、それぞれ原画と処理画を入れ、スイッチで該原画と処理画を切替えて評価する方法がしばしば採用されている。一方、後者の客観評価においては、原画と処理画の画像信号を画質評価装置に供給すると共に、モニタにも供給し、モニタに表示された画像をチェックしながら該画質評価装置で評価された客観画質評価を監視する方法が多用されている。
【０００３】
図４に、後者の客観画質評価装置の概略の構成を示す。ＶＴＲ等の原画像供給装置１から出力された原画像は、主観評価モニタ装置２のＡチャンネルとこれとは別に設けられた画質評価装置３のＡチャンネルとに接続される。また、該原画像は処理装置４に供給され、該処理装置４によって処理される。この処理装置４は、圧縮符号化装置等から構成されており、該処理装置４で処理された原画像は、処理画像として主観評価モニタ装置２と画質評価装置３のＢチャンネルに接続される。
【０００４】
作業員がこの客観画質評価装置を用いて処理画像の品質を評価する時には、作業員は主観評価モニタ装置２に設けられているスイッチで原画像と処理画像を切替えて原画像と処理画像を比較確認しつつ、画質評価装置３に表示される画質評価値を監視する作業を行う。
【０００５】
【発明が解決しようとする課題】
上記したように、作業員が従来の客観画質評価装置を用いて処理画像の品質を評価する時には、原画像と処理画像を比較確認しつつ、別の位置に置かれた画質評価装置に表示される画質評価値を監視しなければならず、作業効率が低下すると共に、作業員の労力が大きいという問題があった。また、前記原画像と処理画像を、主観評価モニタ装置２と画質評価装置３の両方に供給する必要があり、そのためには、原画像供給装置１と処理装置４のそれぞれから主観評価モニタ装置２と画質評価装置３の両方に配線しなければならず、すなわち二式の配線をしなければならず、配線が煩雑であるという問題があった。
【０００６】
この発明の目的は、前記した従来技術の問題点を除去し、客観画質評価のための画像および画質評価値の監視作業の作業効率が向上すると共に、配線の煩雑さを軽減した画像の客観評価用モニタ装置を提供することにある。
【０００７】
【課題を解決するための手段】
前記した目的を達成するために、本発明は、処理画像の画質を評価する画像の客観評価用モニタ装置において、原画像と処理画像が入力される二つの入力端子と、該二つの入力端子から入力された原画像と処理画像を基に、該処理画像の評価を行う画質評価手段と、前記二つの入力端子から入力された原画像と処理画像の表示と、前記画質評価手段による画質評価結果とを表示する表示手段とを具備し、前記表示手段に、前記画像と画質評価結果を近接して表示するようにした点に特徴がある。
【０００９】
前記特徴によれば、原画像と処理画像のための画像表示と画質評価結果の表示とを近接させて表示できるようになり、作業員はほぼ一視野で、両表示を観察することができるようになる。また、原画像を供給する装置および原画像の処理装置からの配線を、前記二つの入力端子に対してだけ行えばよくなるので、配線を簡素化できると共に、配線量を従来の半分にすることができるようになる。
【００１０】
【発明の実施の形態】
以下に、本発明を図面を参照して詳細に説明する。図１は、本発明の一実施形態の概略の構成を示すブロック図である。
【００１１】
ＶＴＲ等の原画像供給装置１から出力された原画像は客観評価用モニタ装置５と処理装置４に送られる。該処理装置４は、圧縮符号化装置等から構成されており、処理装置４で処理（例えば、圧縮符号化）された処理画像は客観評価用モニタ装置５に送られる。客観評価用モニタ装置５は、Ａ、Ｂ二チャンネルのための二つの入力端子を有し、Ａチャンネルの入力端子には前記原画像が、Ｂチャンネルの入力端子には前記処理画像が供給される。
【００１２】
客観評価用モニタ装置５は、主観評価モニタ部６と画質評価装置をボード化した画質評価ボード７を有し、これらは一つの筐体（ハウジング）の中に収納されている。この筐体は従来の主観評価モニタ装置２の筐体と同一であってもよい。換言すれば、従来の主観評価モニタ装置２の筐体中に、画質評価ボード７を内蔵するようにしても良い。また、前記Ａ、Ｂチャンネルの二つの入力端子は前記主観評価モニタ部６と画質評価ボード７とに共用されている。
【００１３】
主観評価モニタ部６は、前記Ａ、Ｂチャンネルの画像を復調する復調回路を有し、Ａ，Ｂチャンネルの画像を復調する。一方、画質評価ボード７は、処理画像の画質評価値を原画像を基に算出する。該復調回路により復調されたＡ，Ｂチャンネルの画像と、前記画質評価ボード７から出力された画質評価結果とは表示部８に送られ、表示される。スイッチ９は該表示部８に映出されるＡチャンネルの原画像とＢチャンネルの処理画像を切替える働きをする。この表示部８は、ＣＲＴ、液晶ディスプレー、プラズマディスプレーなどから構成される。
【００１４】
図２は、該表示部８の画面の一例を示す図であり、一つの画面に前記原画像と処理画像をスイッチ９により選択的に表示できる画像表示領域８ａと、前記画質評価ボード７から出力された画質評価値、例えば画質劣化度を表示する画質評価表示領域８ｂが設けられている。なお、画像表示領域８ａの表示を切り替えるスイッチ９は、表示部８内あるいはその外部に設けても良い。
【００１５】
図３は、前記画質評価ボード７の回路構成の一例の概略を示すブロック図である。この回路としては、例えば本出願人による特開平９−３０７９３０号公報に記されているようなものを用いることができる。
【００１６】
Ａチャンネルの原画像は減算器１０と交流成分電力算出回路１１に入力する。減算器１０は、Ａチャンネルの原画像からＢチャンネルの処理画像を減算し、各画素信号の差分値を算出する。この差分値は、ＳＮＲ（ＷＳＮＲ）算出回路１２に入力されて、フレーム全体のＮＳＲまたはＷＳＮＲが求められる。一方、交流成分電力算出回路１１は、原画像の画素信号から、フレーム全体の交流成分の電力の平均値、すなわち画面全体のアクティビティを算出する。重み付け回路１３は、該交流成分の電力の平均値を要素とする関数により、前記ＳＮＲ（ＷＳＮＲ）算出回路１２から出力されたＳＮＲまたはＷＳＮＲをフレーム毎に重み付けして画質評価値を求め、出力する。なお、図３の交流成分電力算出回路１１およびＳＮＲ（ＷＳＮＲ）算出回路１２の詳細な回路図は、上記の公報に開示されているので、説明を省略する。
【００１７】
この実施形態によれば、作業員はスイッチ９により図２の画像表示領域８ａに映出されるＡ，Ｂ二チャンネルの画像を適宜切替えて、処理画像の画質を主観的に評価しながら、同じ視野で、あるいは少し視線を画質評価表示領域８ｂに移すだけで、画質評価表示領域８ｂに表示されている画質劣化度を見ることができるようになる。換言すれば、作業員は、表示装置上で原画と処理画を比較確認しつつ、画質評価結果である客観評価値を観察できるようになる。このため、作業員は、従来のように、主観評価モニタ装置２と画質評価装置３とを別の視野で見る必要がなくなる。なお、前記スイッチ９は作業員の手を借りずに自動的に動作するようにしても良い。
【００１８】
【発明の効果】
前記した説明から明らかなように、この発明によれば、主観評価モニタ装置の表示部に画質評価結果を表示させるようにした、または原画像および処理画像と画質評価結果を近接させて表示させるようにしたので、作業員は同一視野で両表示を見ることができるようになり、画質監視などのための客観画質評価作業が大幅に簡易化できる。また、作業効率の向上、および作業員の労力軽減を図ることができる。また、原画像供給装置および処理装置から、客観評価用モニタ装置への配線が、それぞれ一式で済むようになるので、配線量を従来の半分にすることができるようになる。また、配線の煩雑さを軽減できる。
【図面の簡単な説明】
【図１】本発明の一実施形態の構成を示すブロック図である。
【図２】図１の表示装置の表示例を示す図である。
【図３】図１の画質評価ボードの回路例を示すブロック図である。
【図４】従来の画質評価装置の構成を示すブロック図である。
【符号の説明】
１…原画像供給装置、４…処理装置、５…客観評価用モニタ装置、６…主観評価モニタ装置、７…画質評価ボード、８…表示部、９…スイッチ。
【図１】
0003622834.tif 000002
【図２】
0003622834.tif 000003
【図３】
0003622834.tif 000004
【図４】
0003622834.tif 000005